(57)【特許請求の範囲】
【請求項１】
記録材に画像を形成する画像形成手段と、
画像形成を行うユーザを撮像する撮像手段と、
前記撮像手段によるユーザの撮像が行われていないときに、予め定められた監視領域内の撮像を当該撮像手段に行わせる制御手段と、
前記撮像手段による前記監視領域内の撮像が行われる場合に、当該監視領域を明るくする光源をオンする指示を出力し又は当該光源の出力を増加させる指示を出力する出力手段と、
を備える画像形成装置。
【請求項２】
記録材への画像形成を行う画像形成装置であり、
記録材に画像を形成する画像形成手段と、
画像形成を行うユーザを撮像する撮像手段と、
前記撮像手段によるユーザの撮像が行われていないときに、予め定められた監視領域内の撮像を当該撮像手段に行わせる制御手段と、
前記画像形成装置の周囲にいる人を、当該画像形成装置に誘引する誘引手段と、
を備える画像形成装置。
【請求項３】
前記監視領域内の異常を検知する異常検知手段を更に備え、
前記制御手段は、前記異常検知手段にて異常が検知された後に、前記撮像手段に前記監視領域内の撮像を行わせる場合、当該異常が検知される前とは異なる条件で当該撮像を行わせることを特徴とする請求項１又は２に記載の画像形成装置。
【請求項４】
前記制御手段は、前記異常検知手段にて異常が検知されていないときに、前記監視領域内の撮像を前記撮像手段に行わせる場合、時間間隔をおいて間欠的に当該撮像を行わせることを特徴とする請求項３に記載の画像形成装置。
【請求項５】
前記制御手段は、前記異常検知手段にて異常が検知された後に、前記撮像手段に前記監視領域内の撮像を行わせる場合、当該異常が検知されるよりも前の時間間隔よりも短い時間間隔で撮像を行わせ、あるいは、動画モードで撮像を行わせることを特徴とする請求項４に記載の画像形成装置。
【請求項６】
記録材に画像を形成する画像形成手段と、
画像形成を行うユーザを撮像する撮像手段と、
前記撮像手段によるユーザの撮像が行われていないときに、予め定められた監視領域内の撮像を当該撮像手段に行わせる制御手段と、
前記監視領域内の異常を検知する異常検知手段と、
画像形成を行うユーザの音声を取得する音声取得手段、および／または、前記画像形成手段の稼働音を取得する稼働音取得手段と、
を備え、
前記異常検知手段は、前記音声取得手段により得られた情報、および／または、前記稼働音取得手段により得られた情報を解析して、異常の検知を行う画像形成装置。
【請求項７】
前記異常検知手段は、前記撮像手段が前記監視領域内の撮像を行うことにより得られた画像を解析して、異常の検知を行うことを特徴とする請求項３に記載の画像形成装置。
【請求項８】
前記画像形成手段により形成される画像の元となる画像データを記憶する画像データ記憶装置を更に備え、
前記撮像手段が前記監視領域内の撮像を行うことにより得られた撮像データが、前記画像データ記憶装置に格納されるように構成された請求項１乃至７の何れかに記載の画像形成装置。
【発明の詳細な説明】
【技術分野】
【０００１】
本発明は、画像形成装置に関する。
【背景技術】
【０００２】
従来、予め定められた監視領域を設定し、この監視領域内を監視カメラで撮影する監視装置が知られている。この場合、例えば、監視カメラで撮影した画像を公衆通信網等を介して監視センタに伝送し、異常発生時の監視領域の状況を監視センタにて確認可能とする。
【０００３】
特許文献１には、異常通報の際に、異常事象の検出時に対して予め設定されている通報時注目期間内に取得された画像の全フレームを監視センタへ送信する一方で、通報後に監視センタから記憶部の蓄積画像の送信要求を受けた場合には、公衆通信網の伝送速度に応じてフレームを間引いて送信することができる画像監視装置が記載されている。
【先行技術文献】
【特許文献】
【０００４】
【特許文献１】特開２０１０−２３３１４５号公報
【発明の概要】
【発明が解決しようとする課題】
【０００５】
監視装置として監視カメラ等を設置する場合、専用設備を導入する必要がある。また監視センタ等の運用費用も必要となる。そのため監視装置の導入にあたり設置費用や運用費用が高額になることが問題になりやすく、監視装置の設置が困難となる場合がある。
本発明は、専用設備を導入する場合と比べて、監視領域の監視に要する費用をより廉価とすることを目的とする。
【課題を解決するための手段】
【０００６】
請求項１に記載の発明は、記録材に画像を形成する画像形成手段と、画像形成を行うユーザを撮像する撮像手段と、前記撮像手段によるユーザの撮像が行われていないときに、予め定められた監視領域内の撮像を当該撮像手段に行わせる制御手段と、前記撮像手段による前記監視領域内の撮像が行われる場合に、当該監視領域を明るくする光源をオンする指示を出力し又は当該光源の出力を増加させる指示を出力する出力手段と、を備える画像形成装置である。
請求項２に記載の発明は、記録材への画像形成を行う画像形成装置であり、記録材に画像を形成する画像形成手段と、画像形成を行うユーザを撮像する撮像手段と、前記撮像手段によるユーザの撮像が行われていないときに、予め定められた監視領域内の撮像を当該撮像手段に行わせる制御手段と、前記画像形成装置の周囲にいる人を、当該画像形成装置に誘引する誘引手段と、を備える画像形成装置である。
請求項３に記載の発明は、前記監視領域内の異常を検知する異常検知手段を更に備え、前記制御手段は、前記異常検知手段にて異常が検知された後に、前記撮像手段に前記監視領域内の撮像を行わせる場合、当該異常が検知される前とは異なる条件で当該撮像を行わせることを特徴とする請求項１又は２に記載の画像形成装置である。
請求項４に記載の発明は、前記制御手段は、前記異常検知手段にて異常が検知されていないときに、前記監視領域内の撮像を前記撮像手段に行わせる場合、時間間隔をおいて間欠的に当該撮像を行わせることを特徴とする請求項３に記載の画像形成装置である。
請求項５に記載の発明は、前記制御手段は、前記異常検知手段にて異常が検知された後に、前記撮像手段に前記監視領域内の撮像を行わせる場合、当該異常が検知されるよりも前の時間間隔よりも短い時間間隔で撮像を行わせ、あるいは、動画モードで撮像を行わせることを特徴とする請求項４に記載の画像形成装置である。
請求項６に記載の発明は、記録材に画像を形成する画像形成手段と、画像形成を行うユーザを撮像する撮像手段と、前記撮像手段によるユーザの撮像が行われていないときに、予め定められた監視領域内の撮像を当該撮像手段に行わせる制御手段と、前記監視領域内の異常を検知する異常検知手段と、画像形成を行うユーザの音声を取得する音声取得手段、および／または、前記画像形成手段の稼働音を取得する稼働音取得手段と、を備え、前記異常検知手段は、前記音声取得手段により得られた情報、および／または、前記稼働音取得手段により得られた情報を解析して、異常の検知を行う画像形成装置である。
請求項７に記載の発明は、前記異常検知手段は、前記撮像手段が前記監視領域内の撮像を行うことにより得られた画像を解析して、異常の検知を行うことを特徴とする請求項３に記載の画像形成装置である。
請求項８に記載の発明は、前記画像形成手段により形成される画像の元となる画像データを記憶する画像データ記憶装置を更に備え、前記撮像手段が前記監視領域内の撮像を行うことにより得られた撮像データが、前記画像データ記憶装置に格納されるように構成された請求項１乃至７の何れかに記載の画像形成装置である。
【発明の効果】
【０００７】
請求項１、２の発明によれば、専用設備を導入する場合と比べて、監視領域の監視に要する費用をより廉価とすることができる。
請求項３の発明によれば、異常が検知された後も、異常が検知される前と同じ条件で撮像を行う場合に比べ、異常の原因の特定を行いやすい撮像データを得ることが可能になる。
請求項４の発明によれば、監視領域の撮像を連続的に行う場合に比べ、撮像により得られた撮像データを記憶するためのメモリの容量を低減できる。
請求項５の発明によれば、異常が検知された後も、異常が検知される前と同じ時間間隔で撮像を行う場合や、静止画モードで撮像を行う場合に比べ、異常の原因の特定を行いやすい撮像データを得ることが可能になる。
請求項６の発明によれば、異常の検知のための専用の手段を設ける場合に比べ、異常の検知のための手段をより安価に構成することができる。
請求項７の発明によれば、異常の検知のための専用の手段を設ける場合に比べ、異常の検知のための手段をより安価に構成することができる。
請求項８の発明によれば、撮像により得られた撮像データを記憶するための専用の記憶装置を設けずに、撮像データの保存を行えるようになる。
【図面の簡単な説明】
【０００８】
【図１】本実施の形態に係る画像形成装置の外観図である。
【図２】本実施の形態に係る画像形成装置の内部構造を示す図である。
【図３】制御装置の機能構成例を示したブロック図である。
【図４】第１の実施形態における画像形成装置の動作について示したフローチャートである。
【図５】第２の実施形態における画像形成装置の動作について示したフローチャートである。
【図６】第３の実施形態における画像形成装置の動作について示したフローチャートである。
【図７】画像形成装置と他の機器との連携動作を行なう場合を例示した図である。
【発明を実施するための形態】
【０００９】
＜画像形成装置の全体説明＞
以下、添付図面を参照して、実施の形態について詳細に説明する。
図１は、本実施の形態に係る画像形成装置１の外観図である。図２は、本実施の形態に係る画像形成装置１の内部構造を示す図である。
図１に示すように、画像形成装置１は、原稿の画像を読み取る画像読取装置１００と、記録材（以下、代表して「用紙」と記す場合もある。）に画像を形成する画像形成手段の一例としての画像記録装置２００と、を備えている。また、画像形成装置１は、ユーザからの操作入力の受付やユーザに対する各種情報の表示を行うユーザインタフェース（ＵＩ）３００を備えている。
【００１０】
さらに、画像形成装置１は、人を検知する人検知センサ４００と、画像形成装置１の周囲を撮像するカメラ５００と、音を取得するマイクロフォン６００と、音を出力するスピーカ７００とを備えている。さらに、図２に示すように、画像形成装置１には、画像形成装置１全体の動作を制御する制御装置９００が設けられている。
【００１１】
図１に示すように、画像読取装置１００は、画像形成装置１の上部に配置され、画像記録装置２００は、画像読取装置１００の下方に配置されている。ユーザインタフェース３００は、画像形成装置１の上部の手前側、つまり画像読取装置１００の後述する画像読取部１１０の手前側に配置されている。
また人検知センサ４００は、後述する読取装置支持部１３の手前側に配置されている。さらにカメラ５００は、ユーザインタフェース３００の左側に配置され、マイクロフォン６００は、ユーザインタフェース３００の手前側に配置されている。そしてスピーカ７００は、読取装置支持部１３の右側に配置されている。
【００１２】
画像読取装置１００について説明する。
図２に示すように、画像読取装置１００は、原稿の画像を読み取る画像読み取り手段として機能する画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
【００１３】
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、図中奥側に設けられたヒンジ（不図示）を中心して開閉可能に設けられており、原稿搬送部１２０の開操作を行うと、画像読取部１１０に設けられたプラテンガラス１１１が現れる。
【００１４】
画像読取部１１０は、プラテンガラス１１１と、原稿の被読取面（画像面）へ光を照射する画像読み取り用光源の一例としての光照射ユニット１１２と、光照射ユニット１１２から原稿の被読取面へ光Ｌが照射されて原稿の被読取面で反射した反射光Ｌを導く導光ユニット１１３と、導光ユニット１１３によって導かれた光Ｌの光学像を結像する結像レンズ１１４と、を備えている。
【００１５】
また、画像読取部１１０は、結像レンズ１１４によって結像された光Ｌを光電変換するＣＣＤ（Charge Coupled Device）イメージセンサ等の光電変換素子で構成され、結像された光学像を検出する検出部１１５と、検出部１１５と電気的に接続されて、検出部１１５によって得られた電気信号が送られる画像処理部１１６と、を備えている。
画像読取部１１０は、原稿搬送部１２０によって搬送される原稿の画像、及びプラテンガラス１１１に載せられた原稿の画像を読み取る。
【００１６】
画像記録装置２００について説明する。
画像記録装置２００は、用紙上に画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１７】
画像形成部２０は、一定の間隔を置いて並列的に配置されるイエロー(Ｙ）、マゼンタ(Ｍ）、シアン(Ｃ）、黒(Ｋ）の４つの画像形成ユニット２１Ｙ、２１Ｍ、２１Ｃ、２１Ｋを備えている。各画像形成ユニット２１は、感光体ドラム２２と、感光体ドラム２２の表面を一様に帯電する帯電器２３と、後述する光学系ユニット５０によるレーザ照射によって形成された静電潜像を予め定められた色成分トナーで現像し可視化する現像器２４とを備えている。また、画像形成部２０には、画像形成ユニット２１Ｙ、２１Ｍ、２１Ｃ、２１Ｋの現像器２４に対して各色のトナーを供給するためのトナーカートリッジ２９Ｙ、２９Ｍ、２９Ｃ、２９Ｋが設けられている。
【００１８】
画像形成部２０は、画像形成ユニット２１Ｙ、２１Ｍ、２１Ｃ、２１Ｋの下方に、画像形成ユニット２１Ｙ、２１Ｍ、２１Ｃ、２１Ｋの感光体ドラム２２に対してレーザ光を照射する光学系ユニット５０を備えている。
光学系ユニット５０は、図示しない半導体レーザ、変調器の他、半導体レーザから出射されたレーザ光を偏向走査するポリゴンミラー（不図示）と、レーザ光を通過するガラス製のウィンドウ（不図示）と、各構成部材を密閉するためのフレーム（不図示）とを備えている。
【００１９】
また、画像形成部２０は、画像形成ユニット２１Ｙ、２１Ｍ、２１Ｃ、２１Ｋの感光体ドラム２２に形成された各色のトナー像を中間転写ベルト３１上に多重転写させる中間転写ユニット３０と、中間転写ユニット３０上に重畳されて形成されたトナー像を用紙Ｐに転写する二次転写ユニット４０と、用紙Ｐ上に形成されたトナー像を加熱および加圧して定着する定着装置４５と、を備えている。
【００２０】
中間転写ユニット３０は、中間転写ベルト３１と、この中間転写ベルト３１を駆動するドライブローラ３２と、中間転写ベルト３１に一定のテンションを付与するテンションローラ３３と、を備えている。
また、中間転写ユニット３０には、各感光体ドラム２２と中間転写ベルト３１を挟んで対向して、感光体ドラム２２上に形成されたトナー像を中間転写ベルト３１上に転写するための複数（本実施の形態においては４つ）の一次転写ローラ３４が設けられている。また、中間転写ベルト３１を介して後述する二次転写ローラ４１と対向するバックアップローラ３５が設けられている。
【００２１】
中間転写ベルト３１は、ドライブローラ３２、テンションローラ３３、複数の一次転写ローラ３４、バックアップローラ３５および従動ローラ３６などの複数の回転部材に張りかけられている。そして、中間転写ベルト３１は、駆動モータ（不図示）によって回転駆動されるドライブローラ３２により、矢印方向に予め定められた速度で循環駆動される。
中間転写ベルト３１は、例えば、ゴムまたは樹脂にて成形されたものが使用される。
また、中間転写ユニット３０は、中間転写ベルト３１上に存在する残留トナー等を除去するクリーニング装置３７を備えている。クリーニング装置３７は、トナー像の転写工程が終了した後の中間転写ベルト３１の表面から残留トナーや紙粉等を除去する。
【００２２】
二次転写ユニット４０は、二次転写位置に設けられ中間転写ベルト３１を介してバックアップローラ３５を押圧し、用紙Ｐ上に画像を二次転写する二次転写ローラ４１を備えている。二次転写ローラ４１と、中間転写ベルト３１を介して二次転写ローラ４１と対向するバックアップローラ３５とで、中間転写ベルト３１に転写されたトナー画像が用紙Ｐに転写される二次転写位置が構成される。
定着装置４５は、中間転写ユニット３０によって二次転写された用紙Ｐ上の画像(トナー像）を、加熱定着ローラ４６と加圧ローラ４７とにより、熱および圧力を用いて用紙Ｐに定着させる。
【００２３】
用紙供給部６０は、画像が記録される用紙を収容する用紙収容部６１と、用紙収容部６１の各々に収容された用紙Ｐを送り出す送出ロール６２と、送出ロール６２にて送り出された用紙Ｐが搬送される搬送路６３と、搬送路６３に沿って配置され送出ロール６２によって送り出された用紙Ｐを二次転写位置へ搬送する搬送ロール６４、６５、６６と、を備えている。
【００２４】
用紙排出部７０は、画像形成部２０の上方に設けられて、画像形成部２０にて画像が形成された用紙を積載する第１の積載トレイ７１と、この第１の積載トレイ７１と画像読取装置１００との間に設けられて、画像形成部２０にて画像が形成された用紙を積載する第２の積載トレイ７２と、を備えている。
【００２５】
用紙排出部７０は、定着装置４５よりも搬送方向下流側に設けられて、トナー画像が定着された用紙Ｐを搬送する搬送ロール７５と、この搬送ロール７５の搬送方向下流側に設けられて、用紙Ｐの搬送方向を切り替える切替ゲート７６と、を備えている。
また、用紙排出部７０は、切替ゲート７６の搬送方向下流側に、切替ゲート７６によって切り替えられた搬送方向の一方側（図２における右側）に搬送される用紙Ｐを第１の積載トレイ７１に排出する第１の排出ロール７７を備えている。
【００２６】
また、用紙排出部７０は、切替ゲート７６の搬送方向下流側に、切替ゲート７６によって切り替えられた搬送方向の他方側（図２における上側）に搬送される用紙Ｐを搬送する搬送ロール７８と、搬送ロール７８によって搬送される用紙Ｐを第２の積載トレイ７２に排出する第２の排出ロール７９と、を備えている。
【００２７】
反転搬送部８０は、定着装置４５の側方に、第２の積載トレイ７２に用紙Ｐを排出する方向とは反対の方向に搬送ロール７８を回転させることで反転された用紙Ｐが搬送される反転搬送路８１を備えている。この反転搬送路８１には、反転搬送路８１に沿って複数の搬送ロール８２が設けられている。これらの搬送ロール８２によって搬送された用紙Ｐは、搬送ロール８２によって、再度二次転写位置へ送り込まれる。
【００２８】
また、画像記録装置２００は、画像形成部２０、用紙供給部６０、用紙排出部７０、反転搬送部８０および制御装置９００を、直接的または間接的に支持する装置本体フレーム１１と、この装置本体フレーム１１に取り付けられて画像形成装置１の外面を形成する装置筐体１２（図１参照）と、を備えている。
装置本体フレーム１１は、読取装置支持部１３を備えている。読取装置支持部１３は、内部に、切替ゲート７６、第１の排出ロール７７、搬送ロール７８および第２の排出ロール７９などを備えるとともに上下方向に伸び、さらに、画像読取装置１００を支持している。読取装置支持部１３は、装置本体フレーム１１における奥側の部位と協働して画像読取装置１００を支持する。
【００２９】
また、図１に示すように、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００３０】
情報表示手段の一例としてのユーザインタフェース３００（図１参照）は、例えばタッチパネルである。ユーザインタフェース３００をタッチパネルにすることで、画像形成装置１の画像形成条件などの各種情報はタッチパネルに表示される。またユーザは、タッチパネルをタッチすることで操作入力を行う。
タッチパネルには、表示用光源の一例としてのバックライトが内蔵されており、バックライトを点灯させることでユーザに対する視認性の向上が図られている。
【００３１】
人検知センサ４００は、画像形成装置１に近づく人の検知を行なう。
画像形成装置１は、消費電力の異なる複数の電力モード（動作モード）を有する。この電力モードとしては、例えば、ジョブが発生し画像記録装置２００で画像を形成するときの通常モードと、ジョブの発生に備えて待機するスタンバイモードと、消費電力量を低減するためのスリープモードが設定される。スリープモードにおいては、画像形成部２０などに供給する電力を停止等することで消費電力量を低下させる。
【００３２】
画像形成装置１は、画像記録装置２００での画像を形成する処理が完了すると通常モードからスタンバイモードに移行する。またスタンバイモードになった後に予め定められた時間、ジョブが発生しないとスリープモードに移行する。
【００３３】
一方、画像形成装置１は、予め定められた復帰条件が成立したときにスリープモードから通常モードへ復帰する。この復帰条件としては、例えば、制御装置９００がジョブを受信したときである。また本実施の形態では、人検知センサ４００が人を検知したときも復帰するようにしている。
【００３４】
本実施の形態では、人検知センサ４００は、スリープモードにおいても電力が供給され、予め定められた検知領域内に人が入ってきたことを検知する焦電型センサ４１０と、焦電型センサ４１０が人の進入を検知した場合に電力が供給され、予め定められた検知領域内に人が存在することを検知する反射型センサ４２０とからなる。
【００３５】
焦電型センサ４１０は、焦電素子、レンズ、ＩＣ、プリント基板などを備え、人が動く際におこる赤外線の変化量を検出する。そして焦電型センサ４１０は、検出した変化量が予め定められた基準値を上回った場合に、人が入ってきたことを検知する。
反射型センサ４２０は、発光素子である赤外線発光ダイオードと、受光素子であるフォトダイオードを備える。そして検知領域内に人が入ってくると赤外線発光ダイオードから発した赤外線が人に反射してフォトダイオードに入射する。反射型センサ４２０は、フォトダイオードから出力される電圧に基づいて人が存在するか否かを検知する。
【００３６】
焦電型センサ４１０の検知領域は、反射型センサ４２０の検知領域より広く設定されている。また焦電型センサ４１０は、反射型センサ４２０よりも消費電力が小さい。本実施の形態では、スリープモード中にも焦電型センサ４１０の電源をオンとし、焦電型センサ４１０が人を検知した場合に反射型センサ４２０の電源をオンにする。
そして、焦電型センサ４１０が人を検知してから予め定められた時間内に反射型センサ４２０が人を検知したときに、スリープモードから通常モードに復帰する。他方、予め定められた時間内に反射型センサ４２０が人を検知しなかった場合には、反射型センサ４２０の電源をオフにする。
【００３７】
このようにすることで、反射型センサ４２０の電源をスリープモード中に常にオンとする構成と比べると消費電力を低減させることが可能となる。
【００３８】
また、本実施の形態に係る画像形成装置１は、検知範囲が広い焦電型センサ４１０が人を検知したことを契機としてスリープモードから復帰する装置と比べると、使用する予定のない人や犬などを誤って検知して節電モードから復帰する、いわゆる誤検知が低減する。つまり本実施の形態に係る画像形成装置１では、画像形成装置１を使用する意思がある人をより確度高く検知してスリープモードから復帰する。
【００３９】
カメラ５００は、撮像手段の一例であり、画像形成装置１の周囲を撮像する。カメラ５００は、例えば、画像形成装置１の周囲の像を収束する光学系と、光学系により収束された像を検出するイメージセンサとを備える。光学系は、単一のレンズまたは複数のレンズを組み合わせて構成される。イメージセンサは、ＣＣＤ（Charge Coupled Device）やＣＭＯＳ（Complementary Metal Oxide Semiconductor）等の撮像素子により構成される。カメラ５００は、静止画像および動画像の少なくとも一方を撮像する。
【００４０】
音声取得手段の一例としてのマイクロフォン６００は、画像形成装置１の周囲の音を取得する。マイクロフォン６００は、特に画像形成装置１を使用するユーザの音声を取得する。マイクロフォン６００の種類としては、特に限られるものではなく、ダイナミック型、コンデンサ型等、既存の種々のものを用いてよい。ただしマイクロフォン６００は、無指向性のＭＥＭＳ（Micro Electro Mechanical Systems）型マイクロフォンであることが好ましい。
【００４１】
スピーカ７００は、画像形成装置１の周囲に対し音を出力する。スピーカ７００は、特に画像形成装置１を使用するユーザに対して音声により案内を行なう。また画像形成装置１を使用するユーザに対して報知音を発する。スピーカ７００から出力される音は、予め音データとして用意されている。そして例えば、画像形成装置１の状態やユーザの操作に対応して、音データに基づきスピーカ７００から音が再生される。
【００４２】
次に、制御装置９００について説明する。
図３は、制御装置９００の機能構成例を示したブロック図である。なお図３では、制御装置９００が有する種々の機能のうち本実施の形態に関係するものを選択して図示している。
制御装置９００は、切り換え情報取得部９０１と、切り換え部９０２と、撮像画像処理部９０３と、音処理部９０４と、異常判定部９０５と、動作制御部９０６と、情報通信部９０７とを備える。
【００４３】
本実施の形態では、画像形成装置１の動作状態は、画像形成装置１の画像記録装置２００等の各機構部が通常動作するときの通常状態と、予め定められた監視領域内の異常を検知するための監視状態とがある。即ち、本実施の形態では、監視状態において画像形成装置１を監視装置として使用する。
【００４４】
切り換え情報取得部９０１は、画像形成装置１の動作状態を通常状態と監視状態とで切り換えるための切り換え情報を取得する。
切り換え情報は、例えば、画像形成装置１の周囲の照度についての情報である。つまり画像形成装置１の周囲が明るく照度が大きいときは、照明等が点灯している状態であると考えられる。このとき画像形成装置１は、画像形成等を行なう通常状態であることが望ましい。
【００４５】
一方、画像形成装置１の周囲が暗く照度が小さいときは、照明等が消灯している状態であると考えられる。このとき画像形成装置１は、画像形成等を行なう通常の動作を行なうことは少なく、予め定められた監視領域内の異常を検知する監視状態であることが望ましい。切り換え情報取得部９０１は、例えば、図示しない照度計からこの照度についての情報を取得する。この場合、照度計は、監視領域内の照度を検知する照度検知手段として機能する。
【００４６】
切り換え情報は、照度についての情報に限られるものではない。例えば、ユーザがユーザインタフェース３００を操作し、通常状態と監視状態とを切り換えてもよい。この場合、切り換え情報は、ユーザインタフェース３００から入力される設定情報である。また日時により通常状態と監視状態とを切り換えてもよい。例えば、平日の昼間は、通常状態とし、平日の夜間や休日は、監視状態とするようにすることが考えられる。この場合、切り換え情報は、日時についての情報である。
【００４７】
なおここで監視領域とは、画像形成装置１が監視装置として機能しているときに監視する範囲のことである。監視領域は、例えば、画像形成装置１が設置されている室内である。
【００４８】
切り換え部９０２は、マイクロフォン６００等を含む画像形成装置１の動作状態を通常状態と監視状態とを切り換える切り換え手段の一例である。切り換え部９０２は、切り換え情報取得部９０１が取得した照度等の切り換え情報に基づき画像形成装置１の動作状態を切り換える。
【００４９】
撮像画像処理部９０３は、カメラ５００が撮像した画像の処理を行なう。通常状態ではカメラ５００は、画像形成装置１を使用するユーザの顔を撮像する。そしてカメラ５００が撮像した画像を基に、撮像画像処理部９０３がユーザの認証を行なう。
ユーザの認証は、予めユーザの顔の画像を画像データとして記録しておき、撮像画像処理部９０３が、カメラ５００が撮像した画像と記録されている顔の画像とを照合することで行なわれる。
【００５０】
一方、監視状態では、カメラ５００は、監視領域内に侵入した侵入者を撮像する。このとき撮像画像処理部９０３は、撮像した画像のデータを保存する処理を行なう。
ここで、本実施形態では、図３に示すように、画像記録装置２００により形成される画像の元となる画像データを記憶しておく画像データ記憶装置８００が設けられている。
カメラ５００により得られた監視領域についての撮像データは、この画像データ記憶装置８００に格納される。これにより、撮像データを記憶するための専用の記憶装置を設けずに、撮像データの保存を行える。なお、画像データ記憶装置８００は、例えばハードディスク装置（ＨＤＤ）により構成される。
【００５１】
なお、侵入者により画像形成装置１が破壊されることもあり得るため、撮像画像処理部９０３は、撮像した画像のデータを、情報通信部９０７や通信回線Ｎを介して外部機器に転送する処理を行なってもよい。
【００５２】
音処理部９０４は、マイクロフォン６００が取得した音の処理を行なう。通常状態で、ユーザがマイクロフォン６００に対して音声を入力した場合、マイクロフォン６００が取得した音声を基に、音処理部９０４がユーザの認証を行なう。これは例えば、予めユーザの音声について周波数と強度との関係であるパワースペクトルを記録しておき、音処理部９０４が、マイクロフォン６００が取得した音声のパワースペクトルと照合することで行なわれる。
またユーザがマイクロフォン６００を使用して音声により指示（音声操作コマンド）をすることで、画像記録装置２００における画像形成の条件を設定したり、動作を開始させたりする。この音声操作コマンドは、予め登録用辞書に登録されており、音処理部９０４は、ユーザの音声と登録用辞書の内容とを照合することでユーザの意図を判断する。
【００５３】
一方、監視状態では、マイクロフォン６００は、監視領域内の音を取得する。取得した音は、次に説明する異常判定部９０５が監視領域内の異常を検知するために用いられる。
監視状態では、音処理部９０４は、異常判定部９０５の異常判定の処理に応じて音の処理を行なう。例えば、音のパワースペクトルを作成したり、音信号の増幅処理を行ったりする。
【００５４】
異常検知手段の一部として機能する異常判定部９０５は、監視状態において、監視領域内に異常が生じているか否かを判定する。異常判定部９０５は、例えば、マイクロフォン６００により取得された音（情報）を解析して、監視領域内に異常が発生したか否かを判定する。
具体的には、前述の登録用辞書にない音声をマイクロフォン６００が取得したときに、異常判定部９０５は、異常が発生したと判定する。またマイクロフォン６００で取得した音が、予め定められた音量レベルを超えるものであったときに、異常判定部９０５は、異常が発生したと判定する。
【００５５】
さらにマイクロフォン６００で、予め定められた頻度を超えて音を取得したときに、異常判定部９０５は、異常が発生したと判定する。あるいは、マイクロフォン６００で取得した音の周波数を解析することで異常判定部９０５は、異常が発生したと判定する。例えば、音が悲鳴であった場合、周波数分布に独特の特徴があるため、音の周波数を解析することで、マイクロフォン６００が取得した音が悲鳴であると判定できる。
【００５６】
また、登録用辞書にドアが開く音や窓ガラスが割れる音など異常が生じた際に生じる異常音を登録しておき、マイクロフォン６００で取得した異常音と合致したときに、異常判定部９０５は、異常が発生したと判定してもよい。またマイクロフォン６００を複数設けることで音の発生源の距離や方向を求めることができる。そして異常判定部９０５は、音の発生源が監視領域内であるか否かを判定し、監視領域内である場合は異常が発生したと判定し、監視領域外である場合は異常が発生していないと判定してもよい。
【００５７】
また、その他に、異常判定部９０５は、カメラ５００により得られた撮像データを解析して、監視領域内に異常が発生したか否かを判定してもよい。ここで、異常が発生したか否かの判定は、いわゆる差分抽出により行うことができる。具体的には、時間的に前後する２つの画像データを比較し、画像データに相違があれば異常があると判定し、相違が無ければ異常はないと判定する。
【００５８】
制御手段の一例としての動作制御部９０６は、画像読取装置１００、画像記録装置２００、ユーザインタフェース３００、人検知センサ４００、カメラ５００と、マイクロフォン６００、スピーカ７００の動作の制御を行なう。
また、動作制御部９０６は、通常状態および監視状態の双方において、ユーザインタフェース３００、人検知センサ４００、カメラ５００、マイクロフォン６００等から取得した情報を基に、画像読取装置１００、画像記録装置２００、ユーザインタフェース３００、人検知センサ４００、カメラ５００、マイクロフォン６００、スピーカ７００の動作を決定するとともに制御を行なう。
【００５９】
情報通信部９０７は、通信回線Ｎに接続され、通信回線Ｎとの間で信号の送受信を行う。通信回線Ｎは、例えば、ＬＡＮ(Local Area Network)、ＷＡＮ(Wide Area Network)、インターネット等のネットワークである。また公衆電話回線であってもよい。
情報通信部９０７は、通信回線Ｎに接続するＰＣ等から送信される印刷のジョブを受信したり、画像読取装置１００で読み取った原稿の画像のデータを外部機器に送信したりするなどの用途に使用される。
【００６０】
＜画像形成装置の動作説明＞
以上のように構成された画像形成装置１は、例えば、以下のように動作する。
まず画像形成装置１の通常状態における動作について説明を行なう。
通常状態では、画像形成装置１を使用して、ユーザは、例えば、原稿のコピーを行なうことができる。またユーザは、通信回線Ｎに接続するＰＣ等から印刷のジョブを画像形成装置１に送信することでプリントを行なうことができる。さらに通信回線Ｎを介してファクシミリの送受信を行なうことができる。あるいはユーザは、原稿をスキャンしてその画像データを画像形成装置１内部や通信回線Ｎに接続したＰＣに保存することができる。
ここでは、ユーザが原稿のコピーを行なう場合を例に採り、画像形成装置１の通常状態における動作について詳しく説明を行なう。
【００６１】
画像形成装置１がスリープモードであったとき、人検知センサ４００のうち焦電型センサ４１０が画像形成装置１に接近する人を検知すると、上述したように反射型センサ４２０の電源がオンになる。そしてさらに予め定められた時間内に反射型センサ４２０が人を検知すると、画像形成装置１は、接近する人が画像形成装置１を使用するユーザであると判断し、スリープモードから通常モードに復帰する。
【００６２】
通常モードにおいて、ユーザがカメラ５００をのぞきこむと、カメラ５００は、ユーザの顔を撮像し、制御装置９００がユーザの認証を行なう。
また通常モードにおいて、ユーザがマイクロフォン６００に対して音声を入力した場合、マイクロフォン６００が取得した音声を基に、制御装置９００がユーザの認証を行なう。
【００６３】
そしてユーザがユーザインタフェース３００を操作することで、画像記録装置２００における画像形成の条件等を設定する。またこのときステップ数が多い設定のときなどは、ユーザ補助として、ユーザがマイクロフォン６００を使用し音声入力により指示を行なうこともできる。このときスピーカ７００からこれに対する案内などを音声として出力することで、対話型とすることもできる。
【００６４】
また、スピーカ７００は、ユーザの操作に誤りがあったときは、ユーザに訂正を促す案内などをスピーカ７００から音声として出力してもよい。さらにスピーカ７００は、用紙詰まり（ジャム）のときなどに詰まった用紙を取り出すための音声案内などを出力してもよい。さらにスピーカ７００は、他にも例えば、コピー／プリント終了時、ファクシミリ受信時などにユーザに対する報知音を出力するために使用される。この報知音は、ビープ音だけでなく、メロディや音声であってもよい。
【００６５】
そして例えば、ユーザが画像読取装置１００のプラテンガラス１１１や原稿収容部１２１に原稿を載せ、ユーザインタフェース３００のスタートキー等を押すと画像読取装置１００によって原稿の画像が読み取られる。読み取られた原稿の画像は、予め定められた画像処理が施され、画像処理が施された画像データは、イエロー（Ｙ）、マゼンタ（Ｍ）、シアン（Ｃ）、黒（Ｋ）の４色の色材階調データに変換され、光学系ユニット５０に出力される。
【００６６】
光学系ユニット５０は、入力された色材階調データに応じて、半導体レーザ（図示せず）から出射されたレーザ光を、ｆ−θレンズ（不図示）を介してポリゴンミラーに出射する。ポリゴンミラーでは、入射されたレーザ光を各色の階調データに応じて変調し、偏向走査して、図示しない結像レンズおよび複数枚のミラーを介して画像形成ユニット２１Ｙ、２１Ｍ、２１Ｃ、２１Ｋの感光体ドラム２２に照射する。
【００６７】
画像形成ユニット２１Ｙ、２１Ｍ、２１Ｃ、２１Ｋの感光体ドラム２２では、帯電器２３で帯電された表面が走査露光され、静電潜像が形成される。形成された静電潜像は、各々の画像形成ユニット２１Ｙ、２１Ｍ、２１Ｃ、２１Ｋにて、イエロー（Ｙ）、マゼンタ（Ｍ）、シアン（Ｃ）、黒（Ｋ）の各色のトナー像として現像される。画像形成ユニット２１Ｙ、２１Ｍ、２１Ｃ、２１Ｋの感光体ドラム２２上に形成されたトナー像は、中間転写体である中間転写ベルト３１上に多重転写される。
【００６８】
一方、用紙供給部６０では、画像形成のタイミングに合わせて送出ロール６２が回転して用紙収容部６１に収容されている用紙Ｐを取り上げ、搬送路６３を介して搬送ロール６４、６５にて搬送される。その後、トナー像が形成された中間転写ベルト３１の移動タイミングに合わせて搬送ロール６６が回転し、用紙Ｐは、バックアップローラ３５および二次転写ローラ４１によって形成される二次転写位置に搬送される。
【００６９】
二次転写位置にて、下方から上方に向けて搬送される用紙Ｐには、圧接力および予め定められた電界を用いて、４色が多重されているトナー像が副走査方向に順次、転写される。そして、各色のトナー像が転写された用紙Ｐは、定着装置４５によって熱および圧力で定着処理を受けた後に排出され、第１の積載トレイ７１あるいは第２の積載トレイ７２に積載される。
【００７０】
両面印刷の要求があった場合には、一方の面に画像が形成された用紙Ｐは、反転搬送部８０にて表裏が反転するように搬送され、再度二次転写位置に送られる。そして、二次転写位置にて、用紙Ｐの他方の面にトナー像が転写され、定着装置４５にて転写された画像が定着される。その後、両面に画像が形成された用紙Ｐは、排出され、第１の積載トレイ７１あるいは第２の積載トレイ７２に積載される。
【００７１】
次に、画像形成装置１の監視状態における動作について説明を行なう。
本実施の形態では、画像形成装置１が監視装置として動作するために、画像読取装置１００、画像記録装置２００、ユーザインタフェース３００、人検知センサ４００、カメラ５００、マイクロフォン６００、スピーカ７００のそれぞれが有する機能を利用する。
【００７２】
［第１の実施形態］
まず第１の実施形態について説明を行なう。
図４は、第１の実施形態における画像形成装置１の動作について示したフローチャートである。
監視状態において画像形成装置１は、マイクロフォン６００が音を取得する（ステップ１０１）。そして音処理部９０４が、マイクロフォン６００が取得した音の処理を行ない（ステップ１０２）、異常判定部９０５が、マイクロフォン６００から取得した音（情報）を基に、異常が発生したか否かを判定する（ステップ１０３）。
【００７３】
異常判定部９０５が、異常が発生していないと判定した場合（ステップ１０３でＮｏ）、ステップ１０１に戻る。
対して異常判定部９０５が、異常が発生したと判定した場合（ステップ１０３でＹｅｓ）、動作制御部９０６が、画像読取装置１００、画像記録装置２００、ユーザインタフェース３００、人検知センサ４００、カメラ５００、マイクロフォン６００、スピーカ７００に対し予め定められた動作を行なわせる。
【００７４】
ここでは、動作制御部９０６は、光源制御手段として機能し、画像形成装置１の周囲を明るくするための動作を行う（ステップ１０４）。具体的には、画像読取装置１００の光照射ユニット１１２を点灯させたり（オンしたり）、ユーザインタフェース３００のタッチパネルのバックライトを点灯させたりする。
【００７５】
なお、光源の点灯に際し、光照射ユニット１１２およびバックライトの両方を点灯させてもよいし、光照射ユニット１１２およびバックライトの一方を点灯させるようにしてもよい。また、光照射ユニット１１２、バックライトが既に点灯している場合には、出力を増加させるようにしてもよい。
【００７６】
また、例えば、ユーザインタフェース３００のタッチパネルの向きを変える機構を設けておき、音が検知された方向など、異常が発生していると思わる方向に、タッチパネルを向けるようにしてもよい。
また、原稿搬送部１２０を開閉させる機構を設けておき、異常が発生したと判定された際には、原稿搬送部１２０を開くようにしてもよい。この場合、光照射ユニット１１２からの光が外部により多く漏れ、監視領域がより明るくなる。
【００７７】
また、後述するように、監視領域内に設置されている他の光源をオンさせるための信号あるいはこの他の光源の出力を増加させるための信号を出力し、この他の光源の点灯、出力の増加を行うようにしてもよい。なお、この信号の出力は、信号出力手段として機能する情報通信部９０７により行われる。
【００７８】
そしてカメラ５００による撮像を開始する（ステップ１０５）。これにより画像形成装置１の周囲に侵入者がいた場合、侵入者の画像が撮像される。撮像した画像は、上述したように、画像データ記憶装置８００に格納される。なおこのときマイクロフォン６００による音の取得も継続して行ない、音について保存するようにしてもよい。
ここで、本実施形態では、カメラ５００による撮像が行われる際、光照射ユニット１１２等が点灯しており、光照射ユニット１１２等が消灯していない場合に比べ、カメラ５００により得られる画像がより鮮明となる。
【００７９】
第１の実施形態では、監視状態において異常が発生していないときは、カメラ５００は、画像の撮像を停止している。そして、マイクロフォン６００が異常を検知する異常検知手段として動作する。そして異常が発生したときは映像の取得を開始する。つまり監視状態では、照明等が消灯され、画像形成装置１の周囲は、暗い状態であるのが通常である。カメラ５００は、通常状態でユーザを認識等させるために設けられるものであり、画像形成装置１の周囲が明るい状態で使用されることが多い。そしてこの場合、監視状態のように画像形成装置の周囲が暗い状態でカメラ５００を動作させても、明確な画像の撮像は困難である。
【００８０】
そこで、本実施の形態では、異常が発生していないときは、カメラ５００の動作を停止し、異常が発生したときは、画像形成装置１の周囲を明るくする。そしてこの状態で、カメラ５００で撮像を行なうことで、より明確な画像を撮像できるようにする。
また、第１の実施形態では、監視状態において異常が発生していないときは、カメラ５００は停止し、マイクロフォン６００が動作する。マイクロフォン６００の消費電力は、カメラ５００の消費電力よりも小さい。よってこれによりカメラ５００を利用して異常を検知するよりも消費電力が小さくなる。
【００８１】
［第２の実施形態］
次に第２の実施形態について説明を行なう。
図５は、第２の実施形態における画像形成装置１の動作について示したフローチャートである。
監視状態において画像形成装置１は、人検知センサ４００の焦電型センサ４１０により検知領域内に入ってくる人を検知する（ステップ２０１）。またカメラ５００は、画像形成装置１の周囲を撮像する（ステップ２０２）。
【００８２】
ここで、この第２の実施形態では、監視状態において、カメラ５００は、時間間隔をおいて間欠的に撮像を行う。言い換えると、本実施形態では、カメラ５００によるユーザの撮影が行われていないときに、このカメラ５００に、監視領域の撮像を間欠的に行わせる。この場合、連続的に撮像を行う場合に比べ、撮像により得られた撮像データを記憶する画像データ記憶装置８００の容量を低減できる。なお、カメラ５００による撮像は、動作制御部９０６による指示に基づき行われる。
【００８３】
なお、間欠的に撮像を行う際、各撮像では、静止画を取得するようにしてもよい。また、各撮像では、動画モードで撮像を行い、動画を取得するようにしてもよい。
また、間欠的に撮像を行う際、予め定められた時間間隔毎に撮像を行うようにしてもよいし、予め定められた時刻となる度に撮影を行うようにしてもよい。さらに、マイクロフォン６００にて、例えば、予め定められた条件の音が取得されたときに、撮像を行うようにしてもよい。
【００８４】
また、本実施形態では、マイクロフォン６００が音を取得する（ステップ２０３）。
また、本実施形態では、撮像画像処理部９０３が、カメラ５００が撮像した画像の処理を行なう（ステップ２０４）。また音処理部９０４が、マイクロフォン６００が取得した音の処理を行なう（ステップ２０５）。
【００８５】
そして異常判定部９０５が、焦電型センサ４１０からの検知信号、マイクロフォン６００から取得した音、およびカメラ５００が撮像した画像を基に異常が発生したか否かを判定する（ステップ２０６）。
【００８６】
なお、異常判定部９０５は、焦電型センサ４１０が人を検知したときに、異常が発生したと判定する。また、異常判定部９０５は、カメラ５００が人を撮像したときに、異常が発生したと判定する。なお、カメラ５００が撮像した画像に基づく、異常が発生したか否かの判定は、例えば、時間的に前後する２つの画像データを比較し、画像データに相違があれば異常が発生したと判定する。即ち、いわゆる差分抽出により判定を行う。
【００８７】
異常判定部９０５が、異常が発生していないと判定した場合（ステップ２０６でＮｏ）、ステップ２０１に戻る。
対して異常判定部９０５が、異常が発生したと判定した場合（ステップ２０６でＹｅｓ）、動作制御部９０６が、画像読取装置１００、画像記録装置２００、ユーザインタフェース３００、人検知センサ４００、カメラ５００、マイクロフォン６００、スピーカ７００に対し予め定められた動作を行なわせる。
【００８８】
ここでは、侵入者を誘引するための動作が行なわれる（ステップ２０７）。
具体的には、異常判定部９０５は、侵入者に対し、音および画像表示の少なくとも一方を停止させる操作を促す動作を行なわせる。例えば、スピーカ７００から警報音を出力とともに、「侵入者を検知しました。間違いでしたら停止ボタンを押して下さい。」などの音声を出力する。また、ユーザインタフェース３００のタッチパネルに同様の内容の画像表示を行なってもよい。
【００８９】
異常が発生したと判定された場合、カメラ５００の撮像は継続される（ステップ２０８）。これにより誘引された侵入者の画像が撮像される。撮像した画像は、保存される。またマイクロフォン６００による音についても保存するようにしてもよい。
【００９０】
ここで、ステップ２０８における撮像（異常が発生したと判定された後の撮像）は、異常が検知される前とは異なる条件で行われる。具体的には、動作制御部９０６は、異常判定部９０５にて異常が発生したと判定された後に、カメラ５００に、監視領域内の撮像を行わせる場合、異常が発生したと判定される前とは異なる条件で撮像を行わせる。
【００９１】
より具体的には、動作制御部９０６は、例えば、異常が発生したと判定されるよりも前における時間間隔よりも短い時間間隔で撮像を行わせ、あるいは、動画モードで撮像を行わせる。これにより、異常が検知された後も、異常が検知される前と同じ条件で撮像を行う場合に比べ、異常の原因の特定を行いやすい撮像データ（侵入者の情報をより多く獲得できる撮像データ）を得られるようになる。
【００９２】
なお、第２の実施形態では、人検知センサ４００、カメラ５００、マイクロフォン６００を用いて異常の検知を行ったが、これらのうち少なくとも１つが動作すればよく、全てが動作する必要はない。そして、侵入者を検知したときには、侵入者を画像形成装置１に来させる動作を行なう。そして、画像形成装置１まで来た侵入者をカメラ５００で撮像する。
【００９３】
［第３の実施形態］
次に、第３の実施形態について説明を行なう。
図６は、第３の実施形態における画像形成装置１の動作について示したフローチャートである。なお、図６のステップ３０１〜ステップ３０６、ステップ３０８については、図５のステップ２０１〜ステップ２０６、ステップ２０８と同様であるためここでは説明を省略する。
【００９４】
本実施の形態では、異常判定部９０５が、異常が発生したと判定した場合（ステップ３０６でＹｅｓ）、信号出力手段の一例としての情報通信部９０７が、異常が発生した旨を出力する（ステップ３０７）。付言すると、画像形成装置１の外部に対して通報を行なう。より具体的には、異常が発生した旨を他の機器に通知して、連携動作を行なう。ここで、この他の機器への通知は、信号出力手段として機能する情報通信部９０７が、通信回線Ｎを介して行う。
【００９５】
図７は、画像形成装置１と他の機器との連携動作を行なう場合を例示した図である。
図７では、画像形成装置１として画像形成装置１ａ、画像形成装置１ｂ、および画像形成装置１ｃが部屋Ｈの四隅のうち３つに設置されている。そして部屋Ｈの四隅のうち残りの１つに監視カメラ２が設置されている。さらに、部屋Ｈの壁面には、電灯２５０が設置されている。さらに、この電灯２５０を制御する電灯制御装置（不図示）が設けられている。
【００９６】
画像形成装置１ａ、画像形成装置１ｂ、画像形成装置１ｃの監視領域は、監視領域Ａ１、監視領域Ａ２、監視領域Ａ３として図示している。さらに監視カメラ２の監視領域は、監視領域Ａ４として図示している。
【００９７】
この状態において、例えば、侵入者がドアＤを開けて部屋Ｈに侵入した場合を考える。このとき画像形成装置１ａは、侵入者が監視領域Ａ１内に侵入したことにより、この侵入者を検知する。なお画像形成装置１ｂは、ドアＤに遮られ、侵入者を検知できない。また画像形成装置１ｃや監視カメラ２も、侵入者の位置が監視領域Ａ３や監視領域Ａ４の外であるため、同様に侵入者を検知できない。
【００９８】
画像形成装置１ａは、異常が発生した旨を、他の機器である画像形成装置１ｂ、画像形成装置１ｃ、監視カメラ２、電灯制御装置に対し通知して、連携動作を行なう。
これにより、例えば、画像形成装置１ａ、１ｂ、１ｃは、上述した第１の実施形態の動作や、第２の実施形態の動作を行なう。また、監視カメラ２は、画像形成装置１ａの方向に監視方向を変更して侵入者の画像を撮像するようにする。
【００９９】
また、電灯制御装置は、電灯２５０をオンする。なお、電灯２５０が既にオンされている場合には、電灯の出力を増加させる。これにより、画像形成装置１ａ、１ｂ、１ｃの各々が有する個々の監視領域Ａ１，Ａ２，Ａ３が明るくなる。また、監視カメラ２が監視を行う監視領域Ａ４も明るくなる。
このように、本実施形態では、侵入者を最初に検知した画像形成装置１ａが設置されている設置空間（部屋Ｈ）内の光源（電灯２５０、画像形成装置１ａ、１ｂ、１ｃが有する光照射ユニット１１２、バックライト）がオンされ、あるいは、出力の増加が行われる。これにより、設置空間である部屋Ｈの全体が明るくなる。これにより、侵入者がより明確な状態で映った撮像データが得られるようになる。
【０１００】
ここで、画像形成装置１ａから電灯制御装置へ通知される、上記異常が発生した旨は、監視領域の光量を増加させる光源をオンさせるための信号あるいはこの光源の出力を増加させるための信号として捉えることができる。
なお、ここでは、異常が発生した旨を、通信回線Ｎを介して他の機器へ通知したが、赤外線通信などを利用して、通知するようにしてもよい。
【０１０１】
第３の実施形態では、画像形成装置１ａ、画像形成装置１ｂ、および画像形成装置１ｃ、監視カメラ２、および、電灯２５０は、監視システムとして捉えることができる。
この監視システムにおいて、侵入者を検知したときには、他の機器と連携動作を行なうことで侵入者の情報をより多く獲得する。またこの場合、既存のセキュリティシステムに画像形成装置１を接続することもでき、既存のセキュリティシステムがより強化される。
【０１０２】
上述した第１の実施形態〜第３の実施形態では、画像形成装置１に従来備わっている機器を利用し、これを有効に活用することで監視装置としての機能を付与している。
この場合新たな機器を購入する必要が少なく、より安価で高レベルのセキュリティサービスを提供することを実現する。
【０１０３】
なお上述した例では、マイクロフォン６００を使用して音を取得していたが、これに限られるものではない。例えば、画像形成装置１の内部に配され、画像記録装置２００の稼働音を取得する稼働音取得手段であってもよい。
【０１０４】
稼働音取得手段を用いる場合、異常判定部９０５は、稼働音取得手段により得られた音（情報）を解析して、異常の検知を行う。稼働音取得手段は、通常状態では、画像記録装置２００の稼働音をモニターし、予め定められた大きさの音を検知したときに画像記録装置２００が故障したと判断する。また監視状態では、稼働音取得手段は、画像形成装置１の周囲の音を取得する。そして、異常判定部９０５が、この音（情報）を解析して、異常の検知を行う。
【０１０５】
また、異常の検知は、画像形成装置１の内部に配され、画像記録装置２００の振動を取得する振動取得手段であってもよい。振動取得手段は、通常状態では、画像記録装置２００の振動をモニターし、予め定められた大きさの振動を検知したときに画像記録装置２００が故障したと判断する。また監視状態では、画像形成装置１の振動を取得し、この振動（情報）を解析して、異常の検知を行う。
【符号の説明】
【０１０６】
１…画像形成装置、２００…画像記録装置、５００…カメラ、６００…マイクロフォン、８００…画像データ記憶装置、９０５…異常判定部、９０６…動作制御部
【図１】
0006471511.tif 000002
【図２】
0006471511.tif 000003
【図３】
0006471511.tif 000004
【図４】
0006471511.tif 000005
【図５】
0006471511.tif 000006
【図６】
0006471511.tif 000007
【図７】
0006471511.tif 000008